【事件の表示】
　特願２０１２−２７６７０８「発光モジュールおよび照明装置」拒絶査定不服審判事件〔平成２６年　６月３０日出願公開、特開２０１４−１２０７０８、請求項の数（１４）〕について、次のとおり審決する。
【結　論】
　原査定を取り消す。
　本願の発明は、特許すべきものとする。
【理　由】
第１　手続の経緯
　本願は、平成２４年１２月１９日の出願であって、平成２８年４月１９日付けで拒絶理由通知がされ、同年６月２３日付けで手続補正がされ、同年８月１日付けで拒絶査定（原査定）がされ、これに対し、同年１１月１日に拒絶査定不服審判の請求がされると同時に手続補正がされ、同年１２月１９日に前置報告がされたものである。
  　　
第２　原査定の概要
　原査定（平成２８年８月１日付け拒絶査定）の概要は次のとおりである。
　
　本願の請求項１ないし１５に係る発明は、以下の引用文献及び引用文献２に基づいて、その発明の属する技術の分野における通常の知識を有する者（以下、「当業者」という。）が容易に発明できたものであるから、特許法第２９条第２項の規定により特許を受けることができない。
           　
引用文献等一覧
１．特開２０１２−８００８３号公報
２．国際公開第２０１１／０２０７５１号
　　
第３　本願発明
　本願の請求項１ないし１４に係る発明（以下、それぞれ「本願発明１」ないし「本願発明１４」という。）は、平成２８年１１月１日付けの手続補正で補正された特許請求の範囲の請求項１ないし１４に記載された事項により特定される発明であり、以下のとおりの発明である。
　
　「【請求項１】
　第１発光素子と、当該第１発光素子から放射される光の一部を第１波長帯域の光に変換する蛍光体を含有する第１波長変換部材とを有し、前記第１発光素子から放射される光の残りの部分と前記第１波長変換部材で変換された前記第１波長帯域の光とを混合して第１の光を発する第１発光部と、
　第２発光素子と、当該第２発光素子から放射される光の一部を第２波長帯域の光に変換する蛍光体を含有する第２波長変換部材とを有し、前記第２発光素子から放射される光の残りの部分と前記第２波長変換部材で変換された前記第２波長帯域の光とを混合して、前記第１の光とは色温度が異なる第２の光を発する第２発光部とを備え、
　前記第１波長変換部材に含有される蛍光体の量子効率の温度依存性と、前記第２波長変換部材に含有される蛍光体の量子効率の温度依存性とが異なり、
　前記第１波長変換部材が含有する蛍光体は、赤色蛍光体と第１緑色蛍光体であり、
　前記第２波長変換部材が含有する蛍光体は、赤色蛍光体と、珪酸塩系蛍光体からなり前記第１緑色蛍光体とは量子効率の温度依存性が異なる第２緑色蛍光体であり、
　前記第２波長変換部材における、前記赤色蛍光体および前記第２緑色蛍光体それぞれの含有量と含有比率は、
　前記第２波長変換部材の温度が１００℃未満では、ＣＩＥ　ｘｙ色度図において、前記第２の光の色度ｙが黒体軌跡の色度ｙ以上となる領域に存在し、
　前記第２波長変換部材の温度が１００℃以上では、ＣＩＥ　ｘｙ色度図において、前記第２の光の色度ｙが黒体軌跡の色度ｙより小さい領域に存在するように設定されており、
　前記第２緑色蛍光体の温度上昇に対する量子効率の低下率は、前記赤色蛍光体および前記第１緑色蛍光体の温度上昇に対する量子効率の低下率に比べて大きく、
　前記第１の光の色温度は、前記第２の光の色温度よりも高く、
　前記第１の光と前記第２の光とを混合した光は白色光である
　ことを特徴とする発光モジュール。
【請求項２】
　ＣＩＥ　ｘｙ色度図において、前記第２の光の色度座標は、前記第２波長変換部材の温度上昇に伴い色度ｘが増加し且つ色度ｙが減少するように移動する
　ことを特徴とする請求項１記載の発光モジュール。
【請求項３】
　前記第１緑色蛍光体は、前記第１波長変換部材の温度が１００℃以上となる温度領域において、１０℃の温度上昇に対する量子効率の低下率が５％未満であり、
　前記第２緑色蛍光体は、前記第２波長変換部材の温度が１００℃以上となる温度領域において、１０℃の温度上昇に対する量子効率の低下率が２．５％より大きく且つ９０％以下の範囲内である
　ことを特徴とする請求項１または請求項２記載の発光モジュール。
【請求項４】
　前記赤色蛍光体は、前記第１、第２波長変換部材の温度が１００℃以上となる温度領域において、１０℃の温度上昇に対する量子効率の低下率が５％未満である
　ことを特徴とする請求項１乃至３のいずれか１項に記載の発光モジュール。
【請求項５】
　前記第１緑色蛍光体は、ガーネット系蛍光体からなる
　ことを特徴とする請求項１乃至４のいずれか１項に記載の発光モジュール。
【請求項６】
　前記第１波長変換部材における、前記赤色蛍光体および前記第１緑色蛍光体それぞれの含有量と含有比率は、
　前記第１波長変換部材の温度が４０℃以下の場合、ＣＩＥ　ｘｙ色度図において、前記第１の光の色度ｙが黒体軌跡の色度ｙより大きく且つ黒体軌跡との偏差が、ＣＩＥ　ｕｖ色度図において１０ｄｕｖ以上となる領域に存在するように設定され、
　前記第２波長変換部材における、前記赤色蛍光体および前記第２緑色蛍光体それぞれの含有量と含有比率は、
　前記第２波長変換部材の温度が４０℃以下の場合、ＣＩＥ　ｘｙ色度図において、前記第２の光の色度ｙが黒体軌跡の色度ｙより大きく且つ黒体軌跡との偏差が、ＣＩＥ　ｕｖ色度図において１０ｄｕｖ以上となる領域に存在するように設定されている
　ことを特徴とする請求項１記載の発光モジュール。
【請求項７】
　前記第１、第２発光素子それぞれは、複数個存在し且つ複数の前記第１発光素子および複数の前記第２発光素子は、それぞれ列状に配置され、
　前記第１波長変換部材は、複数の前記第１発光素子を列毎に一括して覆うように配置され、
　前記第２波長変換部材は、複数の前記第２発光素子を列毎に一括して覆うように配置され、
　複数の前記第２発光素子の並び間隔は、複数の前記第１発光素子の並び間隔に比べて小さい
　ことを特徴とする請求項１乃至６のいずれか１項に記載の発光モジュール。
【請求項８】
　前記第１、第２発光素子それぞれは、複数個存在し且つ複数の前記第１発光素子および複数の前記第２発光素子は、それぞれ列状に配置され、
　前記第１波長変換部材は、複数の前記第１発光素子を列毎に一括して覆うように配置され、
　前記第２波長変換部材は、複数の前記第２発光素子を個別に覆うように配置されている
　ことを特徴とする請求項１乃至６のいずれか１項に記載の発光モジュール。
【請求項９】
　基板を更に備え、
　前記第１、第２発光素子それぞれは、複数個存在し、
　前記基板上において、複数の前記第１発光素子が配置される第１領域は、複数の前記第２発光素子が配置される第２領域を囲繞しており、
　前記第１波長変換部材は、前記基板の前記第１領域に、複数の前記第１発光素子を覆うように配置され、
　前記第２波長変換部材は、前記基板の前記第２領域に、複数の前記第２発光素子を覆うように配置されている
　ことを特徴とする請求項１乃至６のいずれか１項に記載の発光モジュール。
【請求項１０】
　前記第１発光素子が配置される第１部位および当該第１部位に比べて伝熱性が低く且つ前記第２発光素子が配置される第２部位を有する基板を更に備え、
　前記第１波長変換部材は、前記第１部位に、前記第１発光素子を覆うように配置され、
　前記第２波長変換部材は、前記第２部位に、前記第２発光素子を覆うように配置されている
　ことを特徴とする請求項１乃至６のいずれか１項に記載の発光モジュール。
【請求項１１】
　前記第２波長変換部材と熱的に結合した熱源を更に備える
　ことを特徴とする請求項１乃至１０のいずれか１項に記載の発光モジュール。
【請求項１２】
　前記熱源は、可視光に対して透明であり且つ前記第２波長変換部材を覆うように配置されている
　ことを特徴とする請求項１１記載の発光モジュール。
【請求項１３】
　請求項１乃至１２のいずれか１項に記載の発光モジュールと、
　前記第１発光部の光量と前記第２発光部の光量との比率を制御する光量比率制御手段とを備える
　ことを特徴とする照明装置。
【請求項１４】
　前記光量比率制御手段は、前記第１発光素子への電流供給量と前記第２発光素子への電流供給量とを制御することにより、前記第１発光部の光量と前記第２発光部の光量との比率を制御する
　ことを特徴とする請求項１３に記載の照明装置。」　
　
第４　刊行物の記載及び引用発明　　　　　　　  
（１）原査定の拒絶の理由に引用され、本願出願前に頒布された刊行物である特開２０１２−８００８３号公報（以下「引用文献」という。）には、図とともに、以下の記載がある（なお、下線は当審で付した。以下同じ。）。
           　
　ア　「【請求項１】
　基板と、
　前記基板上に実装され、波長２５０ｎｍ乃至５００ｎｍの光を発する複数の第１の発光素子と、
　前記基板上に実装され、波長２５０ｎｍ乃至５００ｎｍの光を発する複数の第２の発光素子と、
　前記第１の発光素子上に形成され、第１の蛍光体を含有する
第１の蛍光体層
　前記第２の発光素子上に形成され、５０℃での発光効率が前記第１の蛍光体より高く、１５０℃での発光効率が前記第１の蛍光体より低い第２の蛍光体を含有する
第２の蛍光体層
を有することを特徴とする発光装置。
【請求項２】
　……
【請求項６】
　
前記第１の蛍光体は、下記一般式（１）または下記一般式（２）で表わされる組成を有し、前記第２の蛍光体は下記一般式（３）で表わされる組成を有する
（Ｍ１−ｘ１Ｅｕｘ１）３−ｙ１Ｓｉ１３−ｚ１Ａｌ３＋ｚ１Ｏ２＋ｕＮ２１−ｗ    （１）
（上記一般式（１）中、ＭはＩＡ族元素、ＩＩＡ族元素、ＩＩＩＡ族元素、Ａｌを除くＩＩＩＢ族元素、希土類元素、およびＩＶＢ族元素から選択される元素である。ｘ１、ｙ１、ｚ１、ｕ、ｗは、次の関係を満たす。
０＜ｘ１＜１、  
−０．１＜ｙ１＜０．３、
−３＜ｚ１≦１、       
−３＜ｕ−ｗ≦１.５）
（Ｍ’１−ｘ２Ｅｕｘ２）ａ１Ｓｉｂ１ＡｌＯｃ１Ｎｄ１      （２）
（上記一般式（２）中、Ｍ’はＩＡ族元素、ＩＩＡ族元素、ＩＩＩＡ族元素、Ａｌを除くＩＩＩＢ族元素、希土類元素、およびＩＶＢ族元素から選択される元素である。ｘ２、ａ１、ｂ１、ｃ１、ｄ１は、次の関係を満たす。
０＜ｘ２＜１、
０．５５＜ａ１＜０．９５
２．０＜ｂ１＜３．９、
０．＜ｃ１＜０．６、
４＜ｄ１＜５．７）
（Ｂａ１−ｙ２−ｚ２−ｘ３Ｃａｙ２Ｓｒｚ２Ｅｕｘ３）ａ２３Ｓｉｂ２Ｏｃ２      （３）
（上記一般式（３）中、ｘ３、ｙ２、ｚ２、ａ２、ｂ２、ｃ２は、次の関係を満たす。
０＜ｘ３≦１、
０≦ｙ２≦１、
０≦ｚ２≦１、
１．５＜ａ２＜２．５
０．５＜ｂ２＜１．５、
３．５＜ｃ２＜４．５）
【請求項７】
　前記
第２の蛍光体層の温度が使用状態で１００℃未満
【請求項８】
　
前記第１の発光素子と前記第１の蛍光体層により白色光が出射され
前記第２の発光素子と前記第２の蛍光体層により白色光が出射され
　
　イ　「【背景技術】
【０００２】
　……
【０００３】
　発光ダイオードを用いたＬＥＤランプは、……
高演色化あるいは高色域化には、青色の励起光と青色で励起され緑色の発光を示す蛍光体および青色で励起され赤色の発光を示す蛍光体を組み合わせた白色光源が望ましい
【０００４】
　また、高負荷ＬＥＤは駆動により発熱し、蛍光体の温度が１００〜２００℃程度まで上昇することが一般的である。
このような温度上昇が起こると蛍光体の発光強度は一般に低下し、いわゆる温度消光が生ずる。このため、特に、高温領域、すなわち高電流（高電力）範囲で発光効率が低下するという問題がある
【先行技術文献】
【特許文献】
【０００５】
　……
【発明が解決しようとする課題】
【０００６】
　本発明は、上記事情を考慮してなされたものであり、その目的とするところは、
低温から高温、すなわち低電流から高電流範囲で優れた発光効率を実現する発光装置を提供することにある
　
　ウ　「【発明を実施するための形態】
【０００９】
　以下、図面を用いて実施の形態を説明する。
【００１０】
　……
【００１１】
　また、本明細書中、「蛍光体の発光効率」とは、励起光の光エネルギーに対する、蛍光体の発する蛍光の光エネルギーの割合を意味する。また、「発光装置の発光効率」とは、発光装置の入力電力に対し、発光装置から発せられる全光束を意味する。
【００１２】
　また、本明細書中、「白色光」とは一般的に照明装置に用いられる異なる波長の光が混合した
電球色、温白色、白色、昼白色、昼光色等を包含する概念である
　
　エ　「【００１４】
（第１の実施の形態）
　……
【００１５】
　本実施の形態の発光装置は、低温で発光効率が高い蛍光体を含有する蛍光体層と、高温で発光効率が高い蛍光体含有する蛍光体層とを別個の発光素子上に備えることにより、
全温度範囲すなわち、発光装置に入力される電流が低電流から高電流の全範囲で優れた発光効率を簡易に実現する
【００１６】
　図１は、本実施の形態の発光装置の模式上面図である。図２は、図１のＡ−Ａ模式断面図である。
【００１７】　　　
　……
【００１９】
　……第１の発光素子１４ａおよび第２の発光素子１６ａは、例えば、
青色ＬＥＤチップである
【００２０】
　……
【００２２】
　本実施の形態では、上記特性を有する
第１の蛍光体として、いわゆるサイアロン系の蛍光体を適用する。また、第２の蛍光体として、いわゆるシリケート系蛍光体を適用する
【００２３】
　本実施の形態の
サイアロン系の緑色蛍光体は下記一般式（１）で表わされる組成を有し、赤色蛍光体は下記一般式（２）で表わされる組成を有する。サイアロン系蛍光体は、比較的高温での発光効率の低下が少ない。すなわち、温度消光が少ないという特性を有する
【００２４】
　……
【００２６】
　上記
一般式（１）で表わされる組成を有するサイアロン系蛍光体は緑色蛍光体（Ｇ）
【００２７】
　……
【００２８】
　
上記一般式（２）で表わされる組成を有するサイアロン系蛍光体は赤色蛍光体（Ｒ）
【００２９】
　……
【００３０】
　本実施の形態のシリケート系の蛍光体は、下記一般式（３）で表わされる組成を有する。シリケート系蛍光体は、比較的低温での発光効率が高いが、高温での発光効率の低下が大きい。すなわち、温度消光が大きいという特性を有する。
【００３１】
　……
【００３２】
　
図３は、蛍光体の発光効率の比較図である
【００３３】
　サイアロン系蛍光体は、比較的高温での発光効率の低下が少ない。シリケート系蛍光体は、比較的低温での発光効率が高いが、高温での発光効率の低下が大きい。シリケート系蛍光体は、温度５０℃での発光効率がサイアロン系より高く、１５０℃での発光効率が第１の蛍光体より低いという特性を有する。
【００３４】
　……
【００３８】
　そして、
シリケート系蛍光体を用いた第２の蛍光体層の温度が１００℃未満であることが、発光効率を維持する観点から望ましい
【００３９】
　なお、本実施の形態において、例えば、
発光装置や白色ＬＥＤの発色を調整する
　
　オ　「【００６１】
　以上、具体例を参照しつつ本発明の実施の形態について説明した。上記、実施の形態はあくまで、例として挙げられているだけであり、本発明を限定するものではない。また、各実施の形態の構成要素を適宜組み合わせてもかまわない。
【００６２】
　……
【００６３】
　また、蛍光体は、
発光素子として青色ＬＥＤが用いられた場合は、赤色蛍光体と緑色蛍光体との組み合わせに限られず
　　
　カ　図１及び図２は、以下のものである。
　　図１
　　
　　図２
   　　　
　キ　図３は、以下のものである。
  　 　　　
（２）引用文献に記載された発明
　ア　上記（１）アの記載からして、引用文献には、
　「基板と、　
　前記基板上に実装され、波長２５０ｎｍ乃至５００ｎｍの光を発する複数の第１の発光素子と、
　前記基板上に実装され、波長２５０ｎｍ乃至５００ｎｍの光を発する複数の第２の発光素子と、
　前記第１の発光素子上に形成され、第１の蛍光体を含有する
第１の蛍光体層
　前記第２の発光素子上に形成され、５０℃での発光効率が前記第１の蛍光体より高く、１５０℃での発光効率が前記第１の蛍光体より低い第２の蛍光体を含有する
第２の蛍光体層
　前記第２の蛍光体層の温度が使用状態で１００℃未満であり、
　前記第１の発光素子と前記第１の蛍光体層により
白色光（以下「第１の白色光」という。）
白色光（第２の白色光」という。）
　上記「第１の蛍光体」は、一般式（１）または一般式（２）で表わされる組成を有し、
　上記「第２の蛍光体」は、一般式（３）で表わされる組成を有するものであってもよいものと認められる。　
　
　イ　上記（１）ウの記載を踏まえて、図１及び図２を見ると、以下のことが理解できる。
（ア）上記アの「第１の発光素子」及び「第２の発光素子」は、それぞれ、基板１０上に実装された、「青色ＬＥＤチップ１４ａ」及び「青色ＬＥＤチップ１６ａ」であってもよいこと。
　
（イ）上記アの「一般式（１）または一般式（２）で表わされる組成」の「第１の蛍光体」は、サイアロン系蛍光体であり、
　上記アの「一般式（３）で表わされる組成」の「第２の蛍光体」は、シリケート系蛍光体であること。　
　　
　ウ　また、上記（１）ウの記載を踏まえて、図３を見ると、
　シリケート系蛍光体は、約１００℃未満では、発光効率がサイアロン系蛍光体よりも高く、約１００℃以上になると、発光効率がサイアロン系蛍光体よりも低下することが理解できる。
　　
　エ　上記（１）イ及びオの記載からして、
　上記アの「第１の蛍光体層」及び「第２の蛍光体層」は、それぞれ、「赤色蛍光体及び緑色蛍光体を含有する第１の蛍光体層１４ａ」及び「赤色蛍光体及び緑色蛍光体を含有する第１の蛍光体層１６ａ」であってもよいことが理解できる。　　
　
　オ　上記アないしエより、引用文献には、次の発明（以下「引用発明」という。）が記載されているものと認められる。　
　「基板１０と、　
　前記基板１０上に実装された
第１の青色ＬＥＤチップ１４ａ
　前記基板１０上に実装された
第２の青色ＬＥＤチップ１６ａ
　前記第１の青色ＬＥＤチップ１４ａ上に形成され、サイアロン系蛍光体の赤色蛍光体及び緑色蛍光体を含有する
第１の蛍光体層１４ｂ
　前記第２の青色ＬＥＤチップ１６ｂ上に形成され、約１００℃未満では、発光効率が前記サイアロン系蛍光体よりも高く、約１００℃以上になると、発光効率が前記サイアロン系蛍光体よりも低下するシリケート系蛍光体の、赤色蛍光体及び緑色蛍光体を含有する
第２の蛍光体層１６ｂ
　前記第２の蛍光体層１６ｂの温度が使用状態で１００℃未満であり　
　前記第１の青色ＬＥＤチップ１４ａと前記第１の蛍光体層１４ｂにより
第１の白色光
第２の白色光
      　
第５　対比・判断
１　本願発明１について
（１）本願発明１と引用発明とを対比すると、次のことがいえる。
　ア（ア）引用発明の「第１の青色ＬＥＤチップ１４ａ」及び「サイアロン系蛍光体の赤色蛍光体及び緑色蛍光体を含有する第１の蛍光体層１４ｂ」は、それぞれ、本願発明１の「第１発光素子」及び「第１発光素子から放射される光の一部を第１波長帯域の光に変換する蛍光体を含有する第１波長変換部材」に相当する。　
　　
（イ）引用発明の「第２の青色ＬＥＤチップ１６ａ」及び「シリケート系蛍光体の赤色蛍光体及び緑色蛍光体を含有する第２の蛍光体層１６ｂ」は、それぞれ、本願発明１の「第２発光素子」及び「第２発光素子から放射される光の一部を第２波長帯域の光に変換する蛍光体を含有する第２波長変換部材」に相当する。　
　
（ウ）引用発明においては、「第１の青色ＬＥＤチップ１４ａと第１の蛍光体層１４ｂにより第１の白色光が出射され」、かつ、「第２の青色ＬＥＤチップ１６ａと第２の蛍光体層１６ｂにより第２の白色光が出射される」ことから、引用発明は、二つの発光部を備えたものであるといえる。
　
（エ）そうすると、本願発明１と引用発明とは、
　「第１発光素子と、当該第１発光素子から放射される光の一部を第１波長帯域の光に変換する蛍光体を含有する第１波長変換部材とを有し、前記第１発光素子から放射される光の残りの部分と前記第１波長変換部材で変換された前記第１波長帯域の光とを混合して第１の光を発する第１発光部と、
　第２発光素子と、当該第２発光素子から放射される光の一部を第２波長帯域の光に変換する蛍光体を含有する第２波長変換部材とを有し、前記第２発光素子から放射される光の残りの部分と前記第２波長変換部材で変換された前記第２波長帯域の光とを混合して、第２の光を発する第２発光部とを備え」る点で一致する。　
　
　イ（ア）引用発明の「第２の蛍光体層１６ｂ」に含有される「赤色蛍光体及び緑色蛍光体」はシリケート系蛍光体であって、「第１の蛍光体層１４ｂ」に含有されるサイアロン系蛍光体とは、蛍光体の量子効率の温度依存性が異なるものである。
　
（イ）引用発明の「シリケート系蛍光体」は、本願発明１の「珪酸塩系蛍光体」に相当する。　
　
（ウ）そうすると、本願発明１と引用発明とは、
　「第１波長変換部材に含有される蛍光体の量子効率の温度依存性と、第２波長変換部材に含有される蛍光体の量子効率の温度依存性とが異なり、
　前記第１波長変換部材が含有する蛍光体は、赤色蛍光体と第１緑色蛍光体であり、
　前記第２波長変換部材が含有する蛍光体は、赤色蛍光体と、珪酸塩系蛍光体からなり前記第１緑色蛍光体とは量子効率の温度依存性が異なる第２緑色蛍光体であ」る点で一致する。
  　
　ウ（ア）引用発明の「第２の蛍光体層１６ｂ」の温度は、使用状態で１００℃未満であり、「第２の青色ＬＥＤチップ１６ａ」と組合わせることにより白色光が出射されるものであるから、「赤色蛍光体」と「緑色蛍光体」それぞれの含有量と含有比率は、温度が１００℃未満では、ＣＩＥ　ｘｙ色度図において、白色光の色度ｙが黒体軌跡の近傍領域に存在するように設定されていることは、当業者にとって明らかである。　
　　  　
（イ）そうすると、本願発明１と引用発明とは、
　「第２波長変換部材における、赤色蛍光体および第２緑色蛍光体それぞれの含有量と含有比率は、
　前記第２波長変換部材の温度が１００℃未満では、ＣＩＥ　ｘｙ色度図において、第２の光の色度ｙが黒体軌跡の近傍領域に存在するように設定されており、
　前記第２緑色蛍光体の温度上昇に対する量子効率の低下率は、前記第１緑色蛍光体の温度上昇に対する量子効率の低下率に比べて大きく、　
　前記第１の光と前記第２の光とを混合した光は白色光である」点で一致する。　
　
　エ　引用発明の「発光装置」は、本願発明１の「発光モジュール」に相当する。　
　
　オ　以上のことから、本願発明１と引用発明は、次の点で一致する。
  　
　＜一致点＞
　「第１発光素子と、当該第１発光素子から放射される光の一部を第１波長帯域の光に変換する蛍光体を含有する第１波長変換部材とを有し、前記第１発光素子から放射される光の残りの部分と前記第１波長変換部材で変換された前記第１波長帯域の光とを混合して、第１の光を発する第１発光部と、
　第２発光素子と、当該第２発光素子から放射される光の一部を第２波長帯域の光に変換する蛍光体を含有する第２波長変換部材とを有し、前記第２発光素子から放射される光の残りの部分と前記第２波長変換部材で変換された前記第２波長帯域の光とを混合して第２の光を発する第２発光部とを備え、
　前記第１波長変換部材に含有される蛍光体の量子効率の温度依存性と、前記第２波長変換部材に含有される蛍光体の量子効率の温度依存性とが異なり、
　前記第１波長変換部材が含有する蛍光体は、赤色蛍光体と第１緑色蛍光体であり、
　前記第２波長変換部材が含有する蛍光体は、赤色蛍光体と、珪酸塩系蛍光体からなり前記第１緑色蛍光体とは量子効率の温度依存性が異なる第２緑色蛍光体であり、
　前記第２波長変換部材における、前記赤色蛍光体および前記第２緑色蛍光体それぞれの含有量と含有比率は、
　前記第２波長変換部材の温度が１００℃未満では、ＣＩＥ　ｘｙ色度図において、前記第２の光の色度ｙが黒体軌跡の近傍領域に存在するように設定されており、
　前記第２緑色蛍光体の温度上昇に対する量子効率の低下率は、前記第１緑色蛍光体の温度上昇に対する量子効率の低下率に比べて大きく、
　前記第１の光と前記第２の光とを混合した光は白色光である、発光モジュール。」　
　　
　カ　一方、本願発明１と引用発明は、次の点で相違する。　
　＜相違点１＞
　第１の光の及び第２の光の色温度に関して、
　本願発明１は、「第１の光の色温度は、第２の光の色温度よりも高い」のに対して、
　引用発明は、色温度が同じなのか、異なるのか不明である点。
　
　＜相違点２＞
　第２波長変換部材における、赤色蛍光体および第２緑色蛍光体それぞれの含有量と含有比率に関して、
　本願発明１は、「第２波長変換部材の温度が１００℃未満では、ＣＩＥ　ｘｙ色度図において、第２の光の色度ｙが黒体軌跡の色度ｙ以上となる領域に存在し、
　前記第２波長変換部材の温度が１００℃以上では、ＣＩＥ　ｘｙ色度図において、前記第２の光の色度ｙが黒体軌跡の色度ｙより小さい領域に存在するように設定されて」いるのに対して、
　引用発明は、そのように設定されているか否か不明である点。　
　
　＜相違点３＞
　第２緑色蛍光体の温度上昇に対する量子効率の低下率に関して、
　本願発明１は、「赤色蛍光体の温度上昇に対する量子効率の低下率に比べて大きい」のに対して、
　引用発明は、（シリケート系の）赤色蛍光体の低下率に比べて大きいか否か不明である点。　
　       　
（２）相違点についての判断
　ア　上記相違点１について検討する。
（ア）上記相違点１に係る本願発明１の発明特定事項の技術的意義は、全温度範囲で白色光の色温度を、「第１の光の色温度」と「第２の光の色温度」に基づいて決定することにあるものと解される。
　　  　                　
（イ）一方、引用発明の「発光装置」は、引用文献の【背景技術】及び【発明が解決しようとする課題】等の記載からして、全温度範囲で優れた発光効率を実現する発光装置であって、低温では温度消光が生じないことから、「第１の白色光の色温度」と「第２の白色光の色温度」を異ならせる動機がない。
     　         　
（ウ）よって、引用発明において、上記相違点１に係る本願発明１の発明特定事項を採用することは、当業者が容易になし得たことであるとすることはできない。
　
　イ　次に、上記相違点３について検討する。
（ア）上記相違点３に係る本願発明１の発明特定事項の技術的意義は、第２波長変換部材に含まれる「赤色蛍光体」と「第２緑色蛍光体」の量子効率の温度依存性を異ならせることにより、温度上昇に伴って、第２緑色蛍光体の相対的な発光強度を低下させ、第２の光の色温度を徐々に変化させることにあるものと解される。　
　
（イ）一方、引用発明の「第２の蛍光体層１６ｂ」に含まれる「赤色蛍光体及び緑色蛍光体」は、ともに、低温で発光効率が高いシリケート系蛍光体であるから、両者の量子効率の温度依存性を異ならせる動機がない。
　
（ウ）よって、引用発明において、上記相違点３に係る本願発明１の発明特定事項を採用することは、当業者が容易になし得たことであるとすることはできない。
　　　
（３）本願発明１についてのまとめ
　上記相違点２について判断するまでもなく、本願発明１は、当業者であっても、引用発明に基づいて容易に発明できたものであるとはいえない。　
　　　　
２　本願発明２ないし本願発明１４について
　本願発明２ないし本願発明１４も、本願発明１と同一の発明特定事項を備えるものであるから、本願発明１と同じ理由により、当業者であっても、引用発明に基づいて容易に発明できたものとはいえない。
     　
第６　原査定について
　審判請求時の補正により、本願発明１は「前記第１の光の色温度は、前記第２の光の色温度よりも高く、前記第１の光と前記第２の光とを混合した光は白色光である」という発明特定事項を有するものとなっており、当業者であっても、拒絶査定において引用された引用文献１及び引用文献２に基づいて、容易に発明できたものとはいえない。
　したがって、原査定の理由を維持することはできない。
    
第７　むすび
　以上のとおり、原査定の理由によっては、本願を拒絶することはできない。
　また、他に本願を拒絶すべき理由を発見しない。
　よって、結論のとおり審決する。